(57)【要約】  本発明は、調整子が、複数のステーションそれぞれから、ステーションそれぞれが持続的な電力供給の可能な電力ソースを支援するかどうか、チャネル時間割り当て機能を支援するかどうか、及びネットワーククラスタリング機能を支援するかどうかのうち、少なくとも一つを含むＰＣＰ能力情報を含み、かつＰＢＳＳ（Ｐｅｒｓｏｎａｌ  Ｂａｓｉｃ  Ｓｅｒｖｉｃｅ  Ｓｅｔ）に対する結合を要請する結合要請フレームを受信し、その調整子が、ステーションそれぞれから受信された結合要請の承認如何を表す結合応答フレームをそれぞれのステーションに伝送し、その調整子がそのＰＣＰ能力情報に基づいて、ＰＢＳＳに含まれたステーションの調整子になるための優先順位を定め、ステーションにブロードキャストした後、その優先順位により、調整子がステーションのうちいずれか一つとハンドオーバを行うハンドオーバ実行方法を開示する。
2013520916.tif 000002
【特許請求の範囲】
【請求項１】
複数のステーションと一つの元来の調整子とを含むＰＢＳＳ（Ｐｅｒｓｏｎａｌ  Ｂａｓｉｃ  ＳｅｒｖｉｃｅＳｅｔ）でハンドオーバを行う方法において、
複数のステーションそれぞれから、ＰＢＳＳ制御ポイント（ＰＣＰ）能力情報を含み、かつ前記ＰＢＳＳに対する結合を要請する結合要請フレームを受信する段階と、
前記ステーションそれぞれから受信された前記結合要請の承認如何を表す結合応答フレームを、前記それぞれのステーションに伝送する段階と、
前記ＰＣＰ能力情報に基づいて、前記ＰＢＳＳに含まれた複数のステーションの新たな調整子になるための優先順位を定めて前記複数のステーションにブロードキャストする段階と、
前記定められた優先順位によって、前記元来の調整子が前記複数のステーションのうちいずれか一つとハンドオーバを行う段階を含むことを特徴とするハンドオーバ実行方法。
【請求項２】
前記ＰＣＰ性能情報は、複数のステーションそれぞれから、前記ステーションそれぞれが持続的な電力供給の可能な電力ソースを支援するかどうか、チャネル時間割り当て機能を支援するかどうか、及びネットワーククラスタリング機能を支援するかどうかのうち少なくとも一つを含むＰＣＰ能力情報を含むことを特徴とする請求項１に記載のハンドオーバ実行方法。
【請求項３】
前記ステーションそれぞれから前記ＰＣＰ能力情報を周期的に受信する段階と、
前記受信されたＰＣＰ能力情報に基づいて前記ステーションそれぞれの優先順位をアップデートする段階と、
前記アップデートされた優先順位をステーションそれぞれにブロードキャストする段階と、をさらに含むことを特徴とする請求項２に記載のハンドオーバ実行方法。
【請求項４】
前記ＰＣＰ能力情報は、
前記ステーションそれぞれが結合できるステーションの最大数についての情報をさらに含むことを特徴とする請求項２に記載のハンドオーバ実行方法。
【請求項５】
前記ステーションそれぞれが持続的な電力供給の可能な電力ソースを支援するかどうかについての情報は、
前記ステーションそれぞれがバッテリー基盤の非持続的な電力ソースを支援するかどうか、非バッテリー基盤の持続的な電力ソースを支援するかどうか、及び前記バッテリー基盤の非持続的な電力ソースと前記非バッテリー基盤の持続的な電力ソースとをいずれも支援するかどうかのうちいずれか一つについての情報を含むことを特徴とする請求項２に記載のハンドオーバ実行方法。
【請求項６】
前記優先順位を決定する段階は、
前記ステーションのうち持続的な電力供給の可能な電力ソースを支援するステーションが、非持続的な電力供給の可能な電力ソースを支援するステーションより高い優先順位を持ち、
チャネル時間割り当て機能を支援するステーションが、チャネル時間割り当て機能を支援しないステーションより高い優先順位を持ち、
ネットワーククラスタリング機能を支援するステーションがネットワーククラスタリング機能を支援しないステーションより高い優先順位を持つように、前記優先順位を決定することを特徴とする請求項２に記載のハンドオーバ実行方法。
【請求項７】
前記ＰＣＰ能力情報は、
持続的な電力供給の可能な電力ソースを支援する第１ステーショングループ、非持続的な電力供給の可能な電力ソースを支援する第２ステーショングループ、及び持続的な電力供給の可能な電力ソースと、非持続的な電力供給の可能な電力ソースとをいずれも支援する第３ステーショングループを含むグループ情報をさらに含み、
前記第１ステーショングループは、携帯用デバイス、ＭＰ３プレーヤー、ＰＭＰ（Ｐｏｒｔａｂｌｅ  Ｍｕｌｔｉｍｅｄｉａ  Ｐｌａｙｅｒ）、デジタルカメラ及びデジタルカムコーダを備え、
前記第２ステーショングループは、テレビ、セットトップボックス、ＤＶＤプレーヤー、デスクトップコンピュータ及びプロジェクターを備え、
前記第３ステーショングループは、ラップトップコンピュータ及び無線ドッキングデバイスを備えることを特徴とする請求項２に記載のハンドオーバ実行方法。
【請求項８】
複数のステーションと一つの元来の調整子とを含むＰＢＳＳで前記調整子に搭載されたハンドオーバ実行装置において、
前記複数のステーションそれぞれから、ＰＢＳＳ制御ポイント（ＰＣＰ）能力情報を含み、前記ＰＢＳＳに対する結合を要請する結合要請フレームを受信する受信部と、
前記ステーションそれぞれから受信された前記結合要請の承認如何を表す結合応答フレームを前記それぞれのステーションに伝送する伝送部と、
前記ＰＣＰ能力情報に基づいて、前記ＰＢＳＳに含まれた前記複数のステーションの新たな調整子になるための優先順位を決定する優先順位決定部と、
前記伝送部が前記定められた優先順位を前記複数のステーションにブロードキャストすれば、前記優先順位によって前記元来の調整子と前記複数のステーションのうちいずれか一つとハンドオーバを行うハンドオーバ実行部と、を備えることを特徴とするハンドオーバ実行装置。
【請求項９】
前記ＰＣＰ性能情報は、複数のステーションそれぞれから、前記ステーションそれぞれが持続的な電力供給の可能な電力ソースを支援するかどうか、チャネル時間割り当て機能を支援するかどうか、及びネットワーククラスタリング機能を支援するかどうかのうち少なくとも一つを含むＰＣＰ能力情報を含むことを特徴とする請求項８に記載のハンドオーバ実行装置。
【請求項１０】
前記受信部が、前記ステーションそれぞれから前記ＰＣＰ能力情報を周期的に受信すれば、
前記優先順位決定部は、前記受信されたＰＣＰ能力情報に基づいて前記ＰＢＳＳに含まれた各ステーションの調整子になるための優先順位を再決定し、
前記伝送部は、前記優先順位を前記各ステーションに再ブロードキャストし、
前記ハンドオーバ実行部は、前記再決定された優先順位によって前記複数のステーションのうちいずれか一つとハンドオーバを行うことを特徴とする請求項９に記載のハンドオーバ実行装置。
【請求項１１】
前記ＰＣＰ能力情報は、
前記ステーションそれぞれが結合できるステーションの最大数についての情報をさらに含むことを特徴とする請求項９に記載のハンドオーバ実行装置。
【請求項１２】
前記ステーションそれぞれが持続的な電力供給の可能な電力ソースを支援するかどうかについての情報は、
前記ステーションそれぞれがバッテリー基盤の非持続的な電力ソースを支援するかどうか、非バッテリー基盤の持続的な電力ソースを支援するかどうか、及び前記バッテリー基盤の非持続的な電力ソースと前記非バッテリー基盤の持続的な電力ソースとをいずれも支援するかどうかのうちいずれか一つについての情報を含むことを特徴とする請求項９に記載のハンドオーバ実行装置。
【請求項１３】
前記優先順位決定部は、
前記ステーションのうち持続的な電力供給の可能な電力ソースを支援するステーションが、非持続的な電力供給の可能な電力ソースを支援するステーションより高い優先順位を持ち、
チャネル時間割り当て機能を支援するステーションがチャネル時間割り当て機能を支援しないステーションより高い優先順位で、
ネットワーククラスタリング機能を支援するステーションが、ネットワーククラスタリング機能を支援しないステーションより高い優先順位を持つように前記優先順位を決定することを特徴とする請求項９に記載のハンドオーバ実行装置。
【請求項１４】
前記ＰＣＰ能力情報は、
持続的な電力供給の可能な電力ソースを支援する第１ステーショングループ、非持続的な電力供給の可能な電力ソースを支援する第２ステーショングループ、及び持続的な電力供給の可能な電力ソースと非持続的な電力供給の可能な電力ソースとをいずれも支援する第３ステーショングループを含むグループ情報をさらに含み、
前記第１ステーショングループは、携帯用デバイス、ＭＰ３プレーヤー、ＰＭＰ、デジタルカメラ及びデジタルカムコーダのうち少なくとも一つを含み、
前記第２ステーショングループは、テレビ、セットトップボックス、ＤＶＤプレーヤー、デスクトップコンピュータ及びプロジェクターのうち少なくとも一つを含み、
前記第３ステーショングループは、ラップトップコンピュータ及び無線ドッキングデバイスのうち少なくとも一つを含むことを特徴とする請求項９に記載のハンドオーバ実行装置。
【請求項１５】
複数のステーションと一つの元来の調整子とを含むＰＢＳＳでハンドオーバを行う方法において、
複数のステーションそれぞれから、ＰＢＳＳ制御ポイント（ＰＣＰ）能力情報を含み、かつ前記ＰＢＳＳに対する結合を要請する結合要請フレームを受信する段階と、
前記ステーションそれぞれから受信された前記結合要請の承認如何を表す結合応答フレームを、前記それぞれのステーションに伝送する段階と、
前記ＰＣＰ能力情報に基づいて、前記ＰＢＳＳに含まれた複数のステーションの新たな調整子になるための優先順位を定めて前記複数のステーションにブロードキャストする段階と、
前記定められた優先順位によって、前記元来の調整子が前記複数のステーションのうちいずれか一つとハンドオーバを行う段階と、を含むことを特徴とするハンドオーバ実行方法を行わせるためのプログラムが記録されたコンピュータで読み取り可能な記録媒体。
【発明の詳細な説明】
【技術分野】
【０００１】
本発明は、ハンドオーバ実行方法及びその装置に係り、特に、ステーションの能力情報に基づいて定められた優先順位によって、調整子とステーションとの間にハンドオーバを行う方法及びその装置に関する。
【背景技術】
【０００２】
ＷＬＡＮ（Ｗｉｒｅｌｅｓｓ  Ｌｏｃａｌ  Ａｒｅａ  Ｎｅｔｗｏｒｋ）システムにおけるＢＳＳ（Ｂａｓｉｃ  Ｓｅｒｖｉｃｅ  Ｓｅｔ）は、一つのＡＰ（Ａｃｃｅｓｓ  Ｐｏｉｎｔ）と複数のステーションとで構成されたネットワークであり、特定な場合（ＤＬＳ（Ｄｉｒｅｃｔ  Ｌｉｎｋ  Ｓｅｔｕｐ）、ＴＤＳＬ（Ｔｕｎｎｅｌｅｄ  Ｄｉｒｅｃｔ  Ｌｉｎｋ  Ｓｅｔｕｐ））を除いては、原則的にステーションが常にＡＰを通じて通信を行うように構成されたネットワークをいう。この時、ＡＰは、自身のＡＰ機能を他のステーションに渡せない。
【０００３】
ＷＰＡＮ（Ｗｉｒｅｌｅｓｓ  Ｐｅｒｏｎａｌ  ＡｒｅａＮｅｔｗｏｒｋ）は、調整子と複数のステーションとで構成されたネットワークであり、原則的にステーションがＢＳＳにおけるＡＰに対応する調整子を通じなくても互いに直接通信を行えるように構成されたネットワークをいう。また、ＷＰＡＮシステムでは、ステーションのうち調整子として動作できる機能を持つステーションが存在できるので、調整子が調整子の役割を他のステーションに渡すべき状況が発生した場合に、調整子は、調整子の役割を行えるステーションに調整子の役割を渡す。このように、調整子が調整子の役割をステーションに渡すことをハンドオーバという。
【発明の概要】
【発明が解決しようとする課題】
【０００４】
本発明の目的は、ステーションの性能と関連する情報に基づいて定められた、優先順位による調整子とステーションとのハンドオーバを行うための方法及び装置を提供することである。
【課題を解決するための手段】
【０００５】
前記目的を達成するための本発明の一実施形態による複数のステーションと一つの元来の調整子とを含むＰＢＳＳ（Ｐｅｒｓｏｎａｌ  Ｂａｓｉｃ  ＳｅｒｖｉｃｅＳｅｔ）でハンドオーバを行う方法は、複数のステーションそれぞれから、前記ステーションそれぞれが持続的な電力供給の可能な電力ソースを支援するかどうか、チャネル時間割り当て機能を支援するかどうか、及びネットワーククラスタリング機能を支援するかどうかのうち少なくとも一つを含むＰＣＰ能力情報を含み、かつ前記ＰＢＳＳに対する結合を要請する結合要請フレームを受信する段階と、前記ステーションそれぞれから受信された前記結合要請の承認如何を表す結合応答フレームを前記それぞれのステーションに伝送する段階と、前記ＰＣＰ能力情報に基づいて、前記ＰＢＳＳに含まれたステーションの調整子になるための優先順位を定めて前記ステーションにブロードキャストする段階と、前記優先順位によって、前記調整子が前記ステーションのうちいずれか一つとハンドオーバを行う段階と、を含む。
【０００６】
望ましくは、本発明の一実施形態によるハンドオーバ実行方法は、前記ステーションそれぞれから前記ＰＣＰ能力情報を周期的に受信する段階と、前記受信されたＰＣＰ能力情報に基づいて前記ＰＢＳＳに含まれたステーションの調整子になるための優先順位を再決定し、前記ステーションに再ブロードキャストする段階と、をさらに含み、前記ハンドオーバを行う段階は、前記再決定された優先順位によって行われる。
【０００７】
望ましくは、前記ＰＣＰ能力情報は、前記ステーションそれぞれが結合できるステーションの最大数及びＱｏＳ（Ｑｕａｌｉｔｙ  ｏｆ  Ｓｅｒｖｉｃｅ）基盤の伝送を支援するかどうかのうち少なくとも一つについての情報をさらに含む。
【０００８】
望ましくは、前記ステーションそれぞれが持続的な電力供給の可能な電力ソースを支援するかどうかについての情報は、前記ステーションそれぞれがバッテリー基盤の非持続的な電力ソースを支援するかどうか、非バッテリー基盤の持続的な電力ソースを支援するかどうか、及び前記バッテリー基盤の非持続的な電力ソースと前記非バッテリー基盤の持続的な電力ソースとをいずれも支援するかどうかのうちいずれか一つについての情報を含む。
【０００９】
望ましくは、前記優先順位を決定する段階は、前記ステーションのうち持続的な電力供給の可能な電力ソースを支援するステーションが、非持続的な電力供給の可能な電力ソースを支援するステーションより高い優先順位を持ち、チャネル時間割り当て機能を支援するステーションが、チャネル時間割り当て機能を支援しないステーションより高い優先順位を持ち、ネットワーククラスタリング機能を支援するステーションが、ネットワーククラスタリング機能を支援しないステーションより高い優先順位を持つように前記優先順位を決定する。
【００１０】
望ましくは、前記ＰＣＰ能力情報は、持続的な電力供給の可能な電力ソースを支援する第１ステーショングループ、非持続的な電力供給の可能な電力ソースを支援する第２ステーショングループ、及び持続的な電力供給の可能な電力ソースと非持続的な電力供給の可能な電力ソースとをいずれも支援する第３ステーショングループを含むグループ情報をさらに含み、前記第１ステーショングループは、携帯用デバイス、ＭＰ３プレーヤー、ＰＭＰ（Ｐｏｒｔａｂｌｅ  Ｍｕｌｔｉｍｅｄｉａ  Ｐｌａｙｅｒ）、デジタルカメラ及びデジタルカムコーダのうち少なくとも一つを含み、前記第２ステーショングループは、テレビ、セットトップボックス、ＤＶＤプレーヤー、デスクトップコンピュータ及びプロジェクターのうち少なくとも一つを含み、前記第３ステーショングループは、ラップトップコンピュータ及び無線ドッキングデバイスのうち少なくとも一つを含む。しかし、デバイスは、前記例示に限定されるものではない。
【００１１】
また、前記目的を達成するための本発明の一実施形態による複数のステーションと一つの調整子とを含むＰＢＳＳで、前記調整子に搭載されたハンドオーバ実行装置は、複数のステーションそれぞれから、前記ステーションそれぞれが持続的な電力供給の可能な電力ソースを支援するかどうか、チャネル時間割り当て機能を支援するかどうか、及びネットワーククラスタリング機能を支援するかどうかのうち少なくとも一つを含むＰＣＰ能力情報を含み、かつ前記ＰＢＳＳに対する結合を要請する結合要請フレームを受信する受信部と、前記ステーションそれぞれから受信された前記結合要請の承認如何を表す結合応答フレームを、前記それぞれのステーションに伝送する伝送部と、前記ＰＣＰ能力情報に基づいて、前記ＰＢＳＳに含まれたステーションの調整子になるための優先順位を決定する優先順位決定部と、前記伝送部が前記定められた優先順位をステーションにブロードキャストすれば、前記優先順位によって前記ステーションのうちいずれか一つとハンドオーバを行うハンドオーバ実行部と、を備える。
【００１２】
また、本発明のさらに他の実施形態は、前記目的を達成するために、複数のステーションそれぞれから、前記ステーションそれぞれが持続的な電力供給の可能な電力ソースを支援するかどうか、チャネル時間割り当て機能を支援するかどうか、及びネットワーククラスタリング機能を支援するかどうかのうち少なくとも一つを含むＰＣＰ能力情報を含み、かつ前記ＰＢＳＳに対する結合を要請する結合要請フレームを受信する段階と、前記ステーションそれぞれから受信された前記結合要請の承認如何を表す結合応答フレームを、前記それぞれのステーションに伝送する段階と、前記ＰＣＰ能力情報に基づいて、前記ＰＢＳＳに含まれたステーションの調整子になるための優先順位を定め、前記ステーションにブロードキャストする段階と、前記優先順位によって、前記調整子が前記ステーションのうちいずれか一つとハンドオーバを行うハンドオーバ実行方法を実行させるためのプログラムが記録されたコンピュータで読み取り可能な記録媒体を提供する。
【発明の効果】
【００１３】
本発明の一実施形態によれば、コーディネーターとして動作可能ならしめる、さらに好適なステーションに、調整子の役割が移されることがある。
【図面の簡単な説明】
【００１４】
【図１】本発明の一実施形態によるハンドオーバ実行方法を説明するために示すフローチャートである。
【図２】本発明の他の実施形態によるハンドオーバ実行方法を説明するために示すフローチャートである。
【図３】本発明の一実施形態によるＰＣＰ能力情報の構造を説明するために示す図面である。
【図４】本発明の一実施形態による電力ソースフィールドを説明するために示す図面である。
【図５】本発明の他の実施形態による電力ソースフィールドを説明するために示す図面である。
【図６】本発明の一実施形態によるハンドオーバ実行装置を説明するために示す図面である。
【発明を実施するための形態】
【００１５】
以下、添付した図面を参照して本発明の望ましい実施形態について詳細に説明する。
【００１６】
図１は、本発明の一実施形態によるハンドオーバ実行方法を説明するために示すフローチャートである。
【００１７】
段階１１０では、調整子が、複数のステーションそれぞれから、ステーションそれぞれが持続的な電力供給の可能な電力ソースを支援するかどうか、チャネル時間割り当て機能を支援するかどうか、及びネットワーククラスタリング機能を支援するかどうかのうち少なくとも一つを含むＰＣＰ能力情報を含み、かつＰＢＳＳ（Ｐｅｒｓｏｎａｌ  Ｂａｓｉｃ  Ｓｅｒｖｉｃｅ  Ｓｅｔ）に対する結合を要請する結合要請フレームを受信する。
【００１８】
ここで、ＰＢＳＳは、ＢＳＳでとは異なってＷＰＡＮ（Ｗｉｒｅｌｅｓｓ  Ｐｅｒｓｏｎａｌ  Ａｒｅａ  Ｎｅｔｗｏｒｋ）システムと類似して、原則的にステーションがＢＳＳのＡＰに対応する調整子を通じなくても互いに直接通信を行えるように構成されたネットワークをいう。また、ＷＰＡＮシステムでは、外部ネットワークと連結されないが、ＰＢＳＳは外部ネットワークと連結される。この時、ＰＢＳＳで、調整子はＰＣＰ（ＰＢＳＳ  Ｃｏｎｔｒｏｌ  Ｐｏｉｎｔ）と称されることもある。また、本発明の一実施形態によるＰＢＳＳでは、６０ＧＨｚ周波数帯域が通信に用いられる。
【００１９】
また、チャネル時間割り当て機能は、ステーションがＰＣＰとして動作する場合に、他のステーションにチャネル時間を割り当てられる機能があるかどうかを表すものであり、他の実施形態では、サービス区間割り当て機能と称されることもある。
【００２０】
また、ネットワーククラスタリング機能とは、複数のＰＢＳＳそれぞれに属する複数の調整子が互いにネットワーク情報交換することで、その複数のＰＢＳＳをまるで一つの巨大なＰＢＳＳとして動作させる機能をいう。他の実施形態では、このような機能がＰＣＰクラスタリングと称されることもある。
【００２１】
一方、本発明の一実施形態によるＰＣＰ能力情報の構造は、図３を参照して後述する。
【００２２】
段階１２０では、調整子が、ステーションそれぞれから受信された結合要請の承認如何を表す結合応答フレームを、それぞれのステーションに伝送する。
【００２３】
段階１３０では、調整子が、そのＰＣＰ能力情報に基づいてＰＢＳＳに含まれたステーションの調整子になるための優先順位を定め、ステーションにブロードキャストする。
【００２４】
この時、調整子は、ステーションのうち持続的な電力供給の可能な電力ソースを支援するステーションが、非持続的な電力供給の可能な電力ソースを支援するステーションより高い優先順位を持ち、チャネル時間割り当て機能を支援するステーションが、チャネル時間割り当て機能を支援しないステーションより高い優先順位を持ち、ネットワーククラスタリング機能を支援するステーションが、ネットワーククラスタリング機能を支援しないステーションより高い優先順位を持つように優先順位を決定できる。
【００２５】
段階１４０では、その優先順位によって、元来の調整子がステーションのうちいずれか一つとハンドオーバを行う。
【００２６】
例えば、調整子は、複数のステーションのうち最も高い優先順位を持つステーションとハンドオーバを行える。すなわち、調整子は、最も高い優先順位を持つステーションに調整子の役割を渡すことができる。
【００２７】
このように本発明の一実施形態は、ステーションそれぞれが持続的な電力供給の可能な電力ソースを支援するかどうか、チャネル時間割り当て機能を支援するかどうか、及びネットワーククラスタリング機能を支援するかどうかのうち、少なくとも一つを含むＰＣＰ能力情報に基づいて優先順位を定めた後、調整子がそれによりハンドオーバを行うため、調整子として動作するのにさらに好適なステーションに調整子の役割を渡すことができる効果がある。
【００２８】
図２は、本発明の第２実施形態によるハンドオーバ実行方法を説明するために示すフローチャートである。段階２１０では、調整子が、複数のステーションそれぞれからＰＣＰ能力情報を含む結合要請フレームを受信する。
【００２９】
段階２２０では、ステーションそれぞれから受信された結合要請の承認如何を表す結合応答フレームを、それぞれのステーションに伝送する。
【００３０】
段階２３０では、そのＰＣＰ能力情報に基づいて、ＰＢＳＳに含まれたステーションの調整子になるための優先順位を定め、ステーションにブロードキャストする。
【００３１】
段階２４０では、ステーションそれぞれからＰＣＰ能力情報を周期的に受信する。この時、段階２４０は、既にステーションに調整子になるための優先順位がブロードキャストされたとしても、まだハンドオーバが行われていなければ、実行可能である。このように、ＰＣＰ能力情報を周期的に受信することで、調整子は、ステーションそれぞれが持続的な電力供給の可能な電力ソースを支援するかどうか、チャネル時間割り当て機能を支援するかどうか、及びネットワーククラスタリング機能を支援するかどうかについての情報を周期的にアップデートできる。
【００３２】
段階２５０では、周期的に受信されたＰＣＰ能力情報に基づいて、調整子が、ＰＢＳＳに含まれたステーションの調整子になるための優先順位を再決定し、ステーションに再ブロードキャストする。
【００３３】
もし、受信されたＰＣＰ能力情報が既存に受信された能力情報と差異点がなければ、優先順位は変更されないが、差異点があるならば、それにより優先順位は変更される。
【００３４】
段階２６０では、その再決定された優先順位によって、調整子がステーションのうちいずれか一つとハンドオーバを行う。
【００３５】
図３は、本発明の一実施形態によるＰＣＰ能力情報の構造を説明するために示す図面である。図３を参照すれば、本発明の一実施形態によるＰＣＰ能力情報３００は、ＰＣＰハンドオーバフィールド３１０、最大結合ステーション数フィールド３２０、電力ソースフィールド３３０、サービス区間割り当てフィールド３４０、ＰＣＰクラスタリングフィールド３５０及び予約フィールド３６０を含む。
【００３６】
ＰＣＰハンドオーバフィールド３１０は、ステーションが調整子として動作する時、ハンドオーバ機能を支援するかどうかを表す。例えば、ＰＣＰハンドオーバフィールド３１０が１の値を持つならば、ハンドオーバ機能を支援することを表し、０の値を持つならば、ハンドオーバ機能を支援しないことを表す。
【００３７】
最大結合ステーション数フィールド３２０は、ステーションが調整子として動作する時、そのステーションに結合できるステーションの最大数を表す。
【００３８】
電力ソースフィールド３３０は、ステーションが持続的な電力供給の可能な電力ソースを支援するかどうかを表す。本発明の一実施形態による電力ソースフィールドについての具体的な説明は、図４及び図５を参照して後述する。
【００３９】
サービス区間割り当てフィールド３４０は、ステーションが調整子として動作する時、ステーションにサービス区間を割り当て（または、チャネル時間を割り当て）する機能を支援するかどうかを表す。
【００４０】
ＰＣＰクラスタリングフィールド３５０は、ステーションが調整子として動作する時、ＰＣＰクラスタリング機能（または、ネットワーククラスタリング機能）を支援するかどうかを表す。例えば、ＰＣＰクラスタリングフィールド３５０が１の値を持つならば、ＰＣＰクラスタリング機能を支援することを表し、０の値を持つならば、ＰＣＰクラスタリング機能を支援しないことを表す。
【００４１】
予約フィールド３６０は、未来の使用のために残したフィールドである。
【００４２】
一方、他の実施形態では、ＰＣＰ能力情報が、持続的な電力供給の可能な電力ソースを支援する第１ステーショングループ、非持続的な電力供給の可能な電力ソースを支援する第２ステーショングループ、及び持続的な電力供給の可能な電力ソースと非持続的な電力供給の可能な電力ソースとをいずれも支援する第３ステーショングループを含むグループ情報（図示せず）をさらに含む。
【００４３】
この時、第１ステーショングループは、携帯用デバイス、ＭＰ３プレーヤー、ＰＭＰ（Ｐｏｒｔａｂｌｅ  Ｍｕｌｔｉｍｅｄｉａ  Ｐｌａｙｅｒ）、デジタルカメラ及びデジタルカムコーダのうち少なくとも一つを含み、第２ステーショングループは、テレビ、セットトップボックス、ＤＶＤプレーヤー、デスクトップコンピュータ及びプロジェクターのうち少なくとも一つを含み、第３ステーショングループは、ラップトップコンピュータ及び無線ドッキングデバイスのうち少なくとも一つを含む。しかし、デバイスは、前記例示に限定されるものではない。
【００４４】
図４は、本発明の一実施形態による電力ソースフィールドを説明するために示す図面である。図４を参照すれば、本発明の一実施形態による電力ソースフィールド３３０が０の値を持つならば、ステーションがバッテリー基盤の非持続的な電力ソースを支援するということを表し、１の値を持つならば、非バッテリー基盤の持続的な電力ソース（電力ライン基盤の電力ソース）を支援するということを表す。
【００４５】
図５は、本発明の第２実施形態による電力ソースフィールドを説明するために示す図面である。図５を参照すれば、本発明の一実施形態による電力ソースフィールド３３０が００の値を持つならば、ステーションがバッテリー基盤の非持続的な電力ソースを支援するということを表し、０１の値を持つならば、非バッテリー基盤の持続的な電力ソース（電力ライン基盤の電力ソース）も支援し、バッテリー基盤の非持続的な電力ソースも支援するということを表し、１０の値を持つならば、非バッテリー基盤の持続的な電力ソースのみを支援するということを表す。図５の実施形態では、電力ソースフィールド３３０が１１の値を持つ時に対しては、未来の使用のために空けておいた。
【００４６】
図６は、本発明の一実施形態によるハンドオーバ実行装置を説明するために示す図面である。図６を参照すれば、本発明の一実施形態によるハンドオーバ実行装置は、受信部６１０、伝送部６２０、優先順位決定部６３０及びハンドオーバ実行部６４０を備える。この時、本発明の一実施形態によるハンドオーバ実行装置６１０は調整子に搭載されていると仮定する。ただし、他の実施形態では、ハンドオーバ実行装置６１０が調整子でありうる。
【００４７】
受信部６１０は、複数のステーションそれぞれから、そのステーションそれぞれが持続的な電力供給の可能な電力ソースを支援するかどうか、チャネル時間割り当て機能を支援するかどうか、及びネットワーククラスタリング機能を支援するかどうかのうち、少なくとも一つを含むＰＣＰ能力情報を含み、かつそのＰＢＳＳに対する結合を要請する結合要請フレームを受信する。
【００４８】
伝送部６２０は、ステーションそれぞれから受信された結合要請の承認如何を表す結合応答フレームを、それぞれのステーションに伝送する。
【００４９】
優先順位決定部６３０は受信部６１０を通じ受信したＰＣＰ能力情報に基づいて、ＰＢＳＳに含まれたステーションの調整子になるための優先順位を決定する。
【００５０】
ハンドオーバ実行部６４０は、伝送部６２０が、その定められた優先順位をステーションにブロードキャスティングすれば、その優先順位によってステーションのうちいずれか一つとハンドオーバを行う。
【００５１】
一方、他の実施形態では、ハンドオーバ実行部６４０がハンドオーバを行う前に、受信部６１０がステーションそれぞれからＰＣＰ能力情報を新たに受信できるが、このように、受信部６１０がステーションそれぞれからＰＣＰ能力情報を受信すれば、優先順位決定部６３０は、ステーションの調整子になるための優先順位を再決定し、伝送部６２０は、その再決定された優先順位をステーションに再ブロードキャストし、ハンドオーバ実行部６４０は、その再決定された優先順位によってステーションのうちいずれか一つとハンドオーバを行える。
【００５２】
一方、前述した本発明の実施形態は、コンピュータで実行できるプログラムで作成可能であり、コンピュータで読み取り可能な記録媒体を用いて、前記プログラムを動作させる汎用ディジタルコンピュータで具現できる。
【００５３】
前記コンピュータで読み取り可能な記録媒体は、マグネチック記録媒体（例えば、ＲＯＭ、フロッピー（登録商標）ディスク、ハードディスクなど）、光学的判読媒体（例えば、ＣＤ−ＲＯＭ、ＤＶＤなど）を含む。
【００５４】
これまで本発明についてその望ましい実施形態を中心として説明した。当業者ならば、本発明が本発明の本質的な特性から逸脱しない範囲で変形された形態で具現できるということを理解できるであろう。したがって、開示された実施形態は、限定的な観点ではなく説明的な観点で考慮されねばならない。本発明の範囲は、前述した説明ではなく特許請求の範囲に表れており、それと同等な範囲内にあるあらゆる差異点は本発明に含まれていると解釈されねばならない。
【図１】
2013520916.tif 000003
【図２】
2013520916.tif 000004
【図３】
2013520916.tif 000005
【図４】
2013520916.tif 000006
【図５】
2013520916.tif 000007
【図６】
2013520916.tif 000008
【国際調査報告】
2013520916.tif 000009
2013520916.tif 000010
2013520916.tif 000011